(57)【特許請求の範囲】
【請求項１】
複数枚の原本答案シートがセットされた印刷装置の給紙ユニットに配置され、前記印刷装置に対して着脱可能な撮像装置と、
前記印刷装置に対して評価画像の印刷要求を行う端末装置とを備え、
前記印刷装置は、前記給紙ユニットにセットされた複数のシートのうち、最も上のシートを給紙し、給紙したシートに対して印刷を行う印刷プロセス部を有し、
前記原本答案シートは、前記原本答案シートの識別情報を含む可視コードを有し、
前記撮像装置は、前記複数枚の原本答案シートのうちの最も上にセットされている原本答案シートの前記可視コードを撮像可能な位置に配置され、
前記端末装置は、評価印刷処理を実行し、前記評価印刷処理において、
（ａ）前記撮像装置と通信して、前記撮像装置により撮像された前記可視コードに含まれる前記識別情報を特定し、
（ｂ）前記複数枚の原本答案シートに対する複数の評価画像データから、特定した前記識別情報の原本答案シートの評価画像データを特定し、
（ｃ）特定した前記評価画像データに基づく評価画像の印刷要求を前記印刷装置へ送信し、特定した前記評価画像データに基づく評価画像を前記最も上にセットされている原本答案シートに印刷させること、
を特徴とする答案評価支援システム。
【請求項２】
前記端末装置は、表示装置と入力装置とを備え、
前記端末装置は、
（ｄ）画像読取装置を制御して前記画像読取装置にセットされた前記複数枚の原本答案シートの答案シート画像を取得し、
（ｅ）１つの前記答案シート画像を選択し、選択した前記答案シート画像を前記表示装置に表示するとともに、選択した前記答案シート画像における前記可視コードを検出し、検出した前記可視コードに含まれる前記識別情報を抽出し、
（ｆ）表示中の原本答案シートの画像に対するユーザーによる評価の入力を前記入力装置で検出し、前記評価の入力に基づいて前記表示中の原本答案シートに対する前記評価画像データを生成して前記識別情報に関連付けて記憶装置に格納し、
（ｇ）前記複数枚の原本答案シートのすべてについての前記評価画像データの格納が完了した後、前記複数枚の原本答案シートのすべてについての前記評価印刷処理を実行すること、
を特徴とする請求項１記載の答案評価支援システム。
【請求項３】
前記端末装置は、
（ｈ）前記評価の入力に基づいて前記表示中の原本答案シートに対する採点データを生成し、
（ｉ）前記複数枚の原本答案シートに対する採点データに対する統計データを生成し、前記評価印刷処理において、前記評価画像とともに前記統計データを前記原本答案シートに印刷させること、
を特徴とする請求項２記載の答案評価支援システム。
【請求項４】
前記端末装置は、
（ｊ）前記複数枚の原本答案シートの画像から、前記複数枚の原本答案シートのすべてについての前記識別情報を抽出し、
（ｋ）前記評価印刷処理において、前記撮像装置により撮像された前記可視コードに含まれる前記識別情報が、抽出された前記識別情報のいずれかに一致するか否かを判定し、（ｋ１）前記撮像装置により撮像された前記可視コードに含まれる前記識別情報が、抽出された前記識別情報のいずれかに一致する場合には、前記評価画像の印刷要求を前記印刷装置へ送信し、（ｋ２）前記撮像装置により撮像された前記可視コードに含まれる前記識別情報が、抽出された前記識別情報のいずれにも一致しない場合には、前記評価画像の印刷要求を前記印刷装置へ送信せずに、警告メッセージを前記表示装置に表示すること、
を特徴とする請求項２記載の答案評価支援システム。
【請求項５】
複数枚の原本答案シートがセットされた印刷装置の給紙ユニットに配置され、前記印刷装置に対して着脱可能な撮像装置と通信するとともに、前記印刷装置に対して評価画像の印刷要求を行う端末装置内のコンピューターに、評価印刷処理を実行させる答案評価支援プログラムであって、
前記印刷装置は、前記給紙ユニットにセットされた複数のシートのうち、最も上のシートを給紙し、給紙したシートに対して印刷を行う印刷プロセス部を有し、
前記原本答案シートは、前記原本答案シートの識別情報を含む可視コードを有し、
前記撮像装置は、前記複数枚の原本答案シートのうちの最も上にセットされている原本答案シートの前記可視コードを撮像可能な位置に配置され、
前記評価印刷処理において、
（ａ）前記撮像装置と通信して、前記撮像装置により撮像された前記可視コードに含まれる前記識別情報を特定し、
（ｂ）前記複数枚の原本答案シートに対する複数の評価画像データから、特定した前記識別情報の原本答案シートの評価画像データを特定し、
（ｃ）特定した前記評価画像データに基づく評価画像の印刷要求を前記印刷装置へ送信し、特定した前記評価画像データに基づく評価画像を前記最も上にセットされている原本答案シートに印刷させること、
を特徴とする答案評価支援プログラム。
【発明の詳細な説明】
【技術分野】
【０００１】
本発明は、答案評価支援システムに関するものである。
【背景技術】
【０００２】
あるシステムでは、受験者による答案の評価（採点、添削など）を行う際に、原本の答案シートの画像をスキャナーなどの画像読取装置で読み取り、評価者は、原本の答案シートに対してではなく、パーソナルコンピューターなどの端末装置を使用して、読み取られた答案シート画像に対して、評価の記入を行うことがある。
【０００３】
そのようなシステムでは、（１）評価の記入で得られる評価画像を答案シート画像に上書きして合成画像を生成し、その合成画像を新たな印刷用紙に印刷し、得られた印刷物を受験者に渡す場合と、（２）評価の記入で得られる評価画像を原本の答案シートに対して上書き印刷する場合（例えば特許文献１，２参照）とがある。
【０００４】
他方、ある装置では、印刷装置内で給紙トレイとプリントエンジンとの間の印刷用紙の搬送経路に設けられたＣＣＤセンサーで、評価記入済みの原本の教材から教材ＩＤを読み取り、同一の教材ＩＤが割り当てられた複数の教材についての集計結果を、その原本の教材に印刷している（例えば特許文献３参照）。
【先行技術文献】
【特許文献】
【０００５】
【特許文献１】特開２０１４−０５９６６３号公報
【特許文献２】特開平９−６８９１９号公報
【特許文献３】特開２００７−０３３７２５号公報
【発明の概要】
【発明が解決しようとする課題】
【０００６】
上述の特許文献１，２の技術では、ユーザーは、１枚の原本の答案シートを印刷装置の給紙トレイ等にセットし、その後、その答案シートに対応する評価画像を選択し、その答案シートへの評価画像の上書き印刷を印刷装置に実行させているため、１枚ずつ手作業で印刷を進めていく必要があり、例えば１００通を超えるような評価すべき答案シートが多い場合、答案評価の作業が非常に煩雑になる。
【０００７】
なお、複数枚の答案シートへの評価画像の上書き印刷を連続的に行う場合、答案シートの順番と評価画像の順番を正確に合わせておく必要があるため、答案シートが多い場合には、答案評価の作業が非常に煩雑になるとともに、答案シートの順番を誤った場合、ある答案シートの原本に対して別の答案に対する評価画像が印刷されてしまうため、現実的ではない。
【０００８】
また、上述の特許文献３の技術のように、印刷装置内部にＣＣＤセンサーを取り付けて印刷媒体を特定できるようにする場合、そのようなセンサーなどを汎用の印刷装置に製造時に組み込んでしまうと、大部分のユーザーが不必要な設備（上述のＣＣＤセンサー）のために印刷装置のコストが増大してしまい、現実的ではない。また、そのような印刷装置を特定用途用の印刷装置として製造しても、生産数が少なくなるため、コストが増大してしまうため、現実的ではない。さらに、上述の特許文献３の技術では、同一の教材ＩＤが複数の教材に割り当てられているため、この技術を答案シートに適用しても、答案シートに対応する評価画像を１対１の関連付けで正確に特定することは困難である。
【０００９】
本発明は、上記の問題に鑑みてなされたものであり、評価の記入で得られる評価画像を原本の答案シートに対して上書き印刷する場合において、評価すべき答案シートが多くても、評価画像の印刷時のユーザー作業が軽くて済む答案評価支援システムを得ることを目的とする。
【課題を解決するための手段】
【００１０】
上記の課題を解決するために、本発明では以下のようにした。
【００１１】
本発明に係る答案評価支援システムは、複数枚の原本答案シートがセットされた印刷装置の給紙ユニットに配置され、印刷装置に対して着脱可能な撮像装置と、印刷装置に対して評価画像の印刷要求を行う端末装置とを備える。印刷装置は、給紙ユニットにセットされた複数のシートのうち、最も上のシートを給紙し、給紙したシートに対して印刷を行う印刷プロセス部を有する。原本答案シートは、原本答案シートの識別情報を含む可視コードを有する。撮像装置は、複数枚の原本答案シートのうちの最も上にセットされている原本答案シートの可視コードを撮像可能な位置に配置される。そして、端末装置は、評価印刷処理を実行し、評価印刷処理において、（ａ）撮像装置と通信して、撮像装置により撮像された可視コードに含まれる識別情報を特定し、（ｂ）複数枚の原本答案シートに対する複数の評価画像データから、特定した識別情報の原本答案シートの評価画像データを特定し、（ｃ）特定した評価画像データに基づく評価画像の印刷要求を印刷装置へ送信し、特定した評価画像データに基づく評価画像を最も上にセットされている原本答案シートに印刷させる。
【００１２】
本発明に係る答案評価支援プログラムは、複数枚の原本答案シートがセットされた印刷装置の給紙ユニットに配置され、印刷装置に対して着脱可能な撮像装置と通信するとともに、印刷装置に対して評価画像の印刷要求を行う端末装置内のコンピューターに、評価印刷処理を実行させる答案評価支援プログラムである。印刷装置は、給紙ユニットにセットされた複数のシートのうち、最も上のシートを給紙し、給紙したシートに対して印刷を行う印刷プロセス部を有し、原本答案シートは、原本答案シートの識別情報を含む可視コードを有し、撮像装置は、前記複数枚の原本答案シートのうちの最も上にセットされている原本答案シートの前記可視コードを撮像可能な位置に配置される。そして、評価印刷処理において、（ａ）撮像装置と通信して、撮像装置により撮像された可視コードに含まれる識別情報を特定し、（ｂ）複数枚の原本答案シートに対する複数の評価画像データから、特定した識別情報の原本答案シートの評価画像データを特定し、（ｃ）特定した評価画像データに基づく評価画像の印刷要求を印刷装置へ送信し、特定した評価画像データに基づく評価画像を最も上にセットされている原本答案シートに印刷させる。
【発明の効果】
【００１３】
本発明によれば、評価の記入で得られる評価画像を原本の答案シートに対して上書き印刷する場合において、評価すべき答案シートが多くても、評価画像の印刷時のユーザー作業が軽くて済む。
【図面の簡単な説明】
【００１４】
【図１】図１は、本発明の実施の形態に係る答案評価支援システムの構成を示すブロック図である。
【図２】図２は、原本答案シートの画像（図２（Ａ））、評価が記入されたときの原本答案シートの画像（図２（Ｂ））、および原本答案シートの画像に対して記入された評価の評価画像（図２（Ｃ））の例を示す図である。
【図３】図３は、図１に示すシステムにおける給紙ユニットへの撮像装置の配置の一例を示す斜視図である。
【図４】図４は、図１に示すシステムにおいて給紙ユニットへ撮像装置が配置された際の撮像装置と原本答案シート上の可視コードとの位置関係を説明する図である。
【図５】図５は、図１に示すシステムにおける答案評価支援処理を説明するフローチャートである。
【図６】図６は、図１に示すシステムにおける評価画像印刷を説明するフローチャートである。
【発明を実施するための形態】
【００１５】
以下、図に基づいて本発明の実施の形態を説明する。
【００１６】
図１は、本発明の実施の形態に係る答案評価支援システムの構成を示すブロック図である。図１に示すシステムでは、端末装置１は、印刷装置２および撮像装置３に、通信可能に接続されている。
【００１７】
端末装置１は、例えばパーソナルコンピューターであり、印刷装置２は、既存の汎用的なプリンター、複合機などである。撮像装置３は、持ち運び可能な小型筐体を有し、印刷装置２の給紙ユニットに着脱可能に配置される。つまり、撮像装置３は、印刷装置２とは別体である。
【００１８】
例えば、端末装置１と印刷装置２との間は、有線または無線のネットワークで接続され、端末装置１と撮像装置３との間は、ＵＳＢ（Universal Serial Bus）などの、有線または無線の周辺機器インターフェイスで接続されている。なお、端末装置１と印刷装置２との間を、有線または無線の周辺機器インターフェイスで接続してもよいし、端末装置１と印刷装置２との間および端末装置１と撮像装置３との間を、単一の有線または無線のネットワークで接続するようにしてもよい。
【００１９】
端末装置１は、通信部１１、記憶装置１２、演算処理装置１３、表示装置１４、および入力装置１５を備える。
【００２０】
この実施の形態では、通信部１１は、印刷装置２との通信を行う通信装置１１ａ、および撮像装置３との通信を行う通信装置１１ｂを含む。
【００２１】
記憶装置１２は、フラッシュメモリー、ハードディスクドライブなどの不揮発性の記憶装置であって、プログラムやデータの格納に使用される。
【００２２】
演算処理装置１３は、ＣＰＵ（Central Processing Unit）、ＲＡＭ（Random Access Memory）、ＲＯＭ（Read Only Memory）などを有するコンピューターを含み、プログラムをＲＡＭにロードしＣＰＵで実行して、各種処理部として動作する。
【００２３】
この実施の形態では、記憶装置１２には答案評価支援プログラム２１が格納されており、答案評価支援プログラム２１を実行することで、評価画像取得部３１、先頭答案特定部３２、評価画像選択部３３、および印刷要求部３４として動作する。
【００２４】
この実施の形態では、ユーザーが端末装置１で答案評価支援プログラム２１を実行させて答案に対する評価を行うと、記憶装置１２に評価データ２２が格納される。評価データ２２は、各答案シートについて、答案シートに固有な識別情報である答案ＩＤ４１、評価時にユーザーにより記入された評価の評価画像データ４２、および評価結果に基づく採点を示す採点データ４３を含む。
【００２５】
表示装置１４は、液晶ディスプレイなどを含む。入力装置１５は、キーボード、マウス、手書き入力用のタブレットやデジタイザーなどを含む。つまり、この表示装置１４および入力装置１５がユーザーインターフェイスとなり、ユーザーは、この表示装置１４および入力装置１５を使用して、原本答案シートではなく、原本答案シートから読み取られた答案シート画像に対して、評価（採点、添削など）の記入を行う。
【００２６】
図２は、原本答案シートの答案シート画像（図２（Ａ））、評価が記入されたときの原本答案シートの答案シート画像（図２（Ｂ））、および原本答案シートの答案シート画像に対して記入された評価の評価画像（図２（Ｃ））の例を示す図である。
【００２７】
例えば図２（Ａ）に示すように答案シート画像２０１が、紙媒体の原本答案シートから画像読取で得られる。そして、図２（Ｂ）に示すように、表示中の答案シート画像２０１に対して評価の記入が行われる。その際、答案シート画像２０１に対して記入された評価の評価画像２０２が答案シート画像２０１とは別に取得される。
【００２８】
評価画像取得部３１は、図示せぬ画像読取装置を制御して、画像読取装置にセットされた複数枚の原本答案シートの答案シート画像２０１を取得する。そして、評価画像取得部３１は、答案シート画像２０１を１つずつ選択し、選択した答案シート画像２０１を表示装置１４に表示するとともに、選択した答案シート画像２０１における可視コード２１１を検出し、検出した可視コード２１１に含まれる識別情報を答案ＩＤ４１として抽出する。さらに、評価画像取得部３１は、表示中の答案シート画像２０１に対するユーザーによる評価の入力を入力装置１５で検出し、その評価の入力に基づいて表示中の答案シートに対する評価画像データ４２（つまり、評価画像２０２の画像データであって、例えばビットマップデータ）を生成して答案ＩＤ４１に関連付けて記憶装置１２に格納する。
【００２９】
なお、このとき、評価画像取得部３１は、評価の入力に基づいて表示中の原本答案シートに対する採点データ４３を生成し、答案ＩＤ４１に関連付けて記憶装置１２に格納するようにしてもよい。なお、評価画像取得部３１は、例えば、所定の得点欄内の画像からＯＣＲ（Optical Character Recognition）技術などを使用して点数を特定したり、ユーザーにより別途入力される点数を特定したりして、特定した点数を示す採点データ４３を生成する。
【００３０】
さらに、評価画像取得部３１は、同様に、受験番号欄、氏名欄などから、受験者の識別情報を特定し、答案ＩＤ４１に関連付けて記憶装置１２に格納するようにしてもよい。受験番号欄については、マークシート状のマーク記入欄として、マーク記入欄の画像から受験番号を特定するようにしてもよいし、ＯＣＲ技術を使用して受験番号を特定してもよい。
【００３１】
このようにして、１セットとなっている複数枚の原本答案シートのすべてについての評価画像データが生成され、答案ＩＤ４１に関連付けられて記憶装置１２に格納される。
【００３２】
なお、原本答案シートは、１枚ごとに異なる可視コードが予め所定の位置に印刷された解答用紙または回答用紙に対して受験者が解答または回答を記入したものである。可視コードは、その原本答案シートの識別情報を示すテキストそのものとしてもよいし、ＱＲコード（登録商標）などの２次元コード、バーコードなどとしてもよい。なお、解答用紙または回答用紙については、特にサイズが限定されるものではない。
【００３３】
つまり、解答用紙または回答用紙の作成段階において、その用紙に固有な識別情報を含む可視コードが印刷される。そして、その識別情報が、原本答案シート、答案シート画像、それらに対する評価などを関連付けるために使用される。
【００３４】
複数枚の原本答案シート１０１は、画像読取の後、評価画像の印刷を行うまで保管され、図１に示すように評価画像の印刷を行う際に印刷装置２の給紙ユニット５１にセットされる。給紙ユニット５１は、給紙カセットや給紙トレイであって、手差しトレイでもよい。
【００３５】
印刷装置２において、印刷プロセス部５２は、インクジェット方式、電子写真方式などで画像データに基づく画像をシートに印刷する。この印刷プロセス部５２は、給紙ユニット５１にセットされた複数のシートのうち、最も上のシートから順番に給紙し、給紙したシートに対して印刷を行う形式のものである。
【００３６】
また、通信装置５３は、端末装置１の通信装置１１ａとデータ通信を行う。制御部５４は、通信装置５３により受信された印刷要求に従って印刷プロセス部５２に印刷を実行させる。
【００３７】
そして、複数枚の原本答案シート１０１が給紙ユニット５１にセットされた後、その給紙ユニット５１に対して、撮像装置３が配置される。
【００３８】
図３は、図１に示すシステムにおける給紙ユニット５１への撮像装置３の配置の一例を示す斜視図である。例えば図３に示すように、撮像装置３の筐体は固定アーム３ａを有しており、固定アーム３ａで給紙ユニット５１内の用紙押さえ５１ａの上端に撮像装置３が固定される。なお、撮像装置３が有線通信路で端末装置１に接続される場合には、印刷装置２本体への給紙ユニット５１の収納の妨げにならないような通信ケーブル（例えば薄型のフラットケーブル）が使用される。また、撮像装置３への給電は、そのような通信ケーブルで行うようにしてもよいし、電池（一次電池または二次電池）を内蔵させるようにしてもよい。
【００３９】
図４は、図１に示すシステムにおいて給紙ユニットへ撮像装置３が配置された際の撮像装置３と原本答案シート１０１上の可視コード１１１との位置関係を説明する図である。図４に示すように、撮像装置３は、撮像素子６１の画角内に可視コード１１１が入るように配置される。
【００４０】
撮像装置３において、通信装置６２は、端末装置１の通信装置１１ｂとデータ通信を行う。制御部６３は、通信装置６２を使用して可視コード１１１の画像を含む撮像画像の画像データを端末装置１に送信したり、可視コード１１１を検出してデコードし、デコードして得られたデータを端末装置１に送信したりする。なお、撮像装置３から端末装置１へ撮像画像の画像データが送信される場合には、端末装置１内で可視コード１１１の検出およびデコードが行われる。
【００４１】
そして、端末装置１において、先頭答案特定部３２は、撮像装置３により撮像された可視コード１１１に含まれる識別情報を特定する。
【００４２】
また、評価画像選択部３３は、複数枚の原本答案シートに対する複数の評価画像データから、先頭答案特定部３２により特定された識別情報の原本答案シート１０１に対応する評価画像データ４２を特定する。
【００４３】
また、印刷要求部３４は、通信装置１１ａを使用して、評価画像選択部３３により特定された評価画像データに基づく評価画像の印刷要求を印刷装置２へ送信する。これにより、印刷装置２において、特定された評価画像データに基づく評価画像が、最も上にセットされている原本答案シート１０１に印刷される。
【００４４】
このとき、印刷要求部３４は、併せて、所定の複数枚の原本答案シートに対する採点データ４３に対する統計データを生成し、上述の評価画像とともに統計データを原本答案シート１０１に印刷させるようにしてもよい。例えば、統計データは、平均値、標準偏差などの統計指標の数値データの他、点数分布の数値データや画像データを含むようにしてもよい。
【００４５】
次に、上記システムにおける答案評価支援処理について説明する。
【００４６】
端末装置１では、演算処理装置１３が答案評価支援プログラム２１を実行して以下の処理を実行する。図５は、図１に示すシステムにおける答案評価支援処理を説明するフローチャートである。
【００４７】
まず、ユーザー（評価者）の操作に基づいて、端末装置１の評価画像取得部３１は、評価対象となるすべての原本答案シート１０１の画像読取を実行する（ステップＳ１）。このとき、画像読取時の原本答案シート１０１の順序を、受験番号順などに配列させる必要は特にない。また、ステップＳ１の処理の完了後、原本答案シート１０１は保管されるが、その際に原本答案シート１０１の順序が変化してしまっても特に問題ない。
【００４８】
そして、評価画像取得部３１は、すべての原本答案シート１０１の答案シート画像２０１を１つずつ順番に表示し、表示中の答案シート画像２０１の答案ＩＤ４１を特定するとともに、ユーザーによる表示中の答案シート画像２０１に対する評価（正答を示す○、誤答を示す×、コメントなど）の入力が完了すると、その表示中の答案シート画像２０１に対する評価画像データ４２を生成し、記憶装置１２に格納する。
【００４９】
このようにして、ユーザーが答案シートに対する評価を１枚ずつ行うたびに、その答案シートについての答案ＩＤ４１および評価画像データ４２（並びに採点データ４３）が保存されていく。
【００５０】
そして、評価対象の複数枚の原本答案シートのすべてについての評価画像データ４２の格納が完了した後、その複数枚の原本答案シートのすべてについての評価印刷処理が実行される（ステップＳ３）。
【００５１】
図６は、図１に示すシステムにおける評価画像印刷を説明するフローチャートである。
【００５２】
まず、先頭答案特定部３２は、撮像装置３に、印刷装置２の給紙ユニット５１において最も上にセットされている原本答案シート１０１の可視コード１１１を撮像させる（ステップＳ１１）。このとき、撮像装置３では、制御部６３が、撮像素子６１で可視コード１１１を撮像し、撮像画像、撮像画像から検出された可視コード１１１、およびその可視コード１１１をデコードして得られる答案ＩＤのいずれかを、通信装置６２で端末装置１へ送信する。
【００５３】
先頭答案特定部３２は、可視コード１１１の検出に成功した場合、給紙ユニット５１に少なくとも１枚の原本答案シート１０１があると判定し、可視コード１１１の検出に失敗した場合、給紙ユニット５１に原本答案シート１０１がないと判定する（ステップＳ１２）。
【００５４】
給紙ユニット５１に少なくとも１枚の原本答案シート１０１があると判定した場合、先頭答案特定部３２は、撮像された可視コード１１１からその原本答案シート１０１の答案ＩＤを特定する（ステップＳ１３）。
【００５５】
そして、評価画像選択部３３は、記憶装置１２に格納されている上述のステップＳ１で答案シート画像２０１に含まれていた答案ＩＤ４１を参照し、先頭答案特定部３２により特定された答案ＩＤが、それらの答案ＩＤ４１のいずれかに一致するか否かを判定する（ステップＳ１４）。
【００５６】
評価画像選択部３３は、先頭答案特定部３２により特定された答案ＩＤに一致する答案ＩＤ４１を発見すると、発見した答案ＩＤ４１に関連付けられている評価画像データ４２を特定し、給紙ユニット５１内で現在最も上に位置している原本答案シート１０１に印刷すべき評価画像の評価画像データ４２として選択する（ステップＳ１５）。
【００５７】
印刷要求部３４は、通信装置１１ａを使用して、評価画像選択部３３により選択された評価画像データ４２に基づく評価画像の印刷要求を印刷装置２へ送信する。例えば、印刷要求部３４は、選択された評価画像データ４２から、ＰＤＬ（Page Description Language）などで記述された印刷データを生成し、印刷要求として送信する。
【００５８】
印刷装置２では、制御部５４が、その印刷要求を通信装置５３で受信し、印刷要求に基づく印刷画像データを生成し、生成した印刷画像データに基づいて印刷プロセス部５２を制御して、給紙ユニット５１において最も上に位置する原本答案シート１０１を給紙させ、その原本答案シート１０１上に、印刷画像データに基づく画像（つまり、評価画像）を上書き印刷させる（ステップＳ１６）。
【００５９】
そして、印刷要求部３４が、その原本答案シート１０１への評価画像の印刷の完了を検出すると、その答案ＩＤ４１に関連付けられている評価画像データ４２に基づく評価画像の印刷が完了したことを示す印刷履歴が記憶装置１２に記録された後、ステップＳ１１に戻り、ステップＳ１１から同様の処理が実行される。
【００６０】
なお、ステップＳ１４において、先頭答案特定部３２により特定された答案ＩＤに一致する答案ＩＤ４１が発見されなかった場合、給紙ユニット５１にセットされている原本答案シート１０１に、評価対象ではない原本答案シート１０１が混入しているので、評価画像選択部３３は、その評価対象ではない原本答案シート１０１の給紙ユニット５１からの除去をユーザーに促す警告メッセージ（答案シート除去メッセージ）を表示装置１４に表示する（ステップＳ１７）。
【００６１】
その際、その警告メッセージとともに、除去完了後にユーザーが押下すべきソフトキーが併せて表示される。そして、ユーザーは、評価対象ではない原本答案シート１０１除去した後、そのソフトキーを押下する。
【００６２】
入力装置１５でそのソフトキーの押下が検出されると（ステップＳ１８）、ステップＳ１１に戻り、ステップＳ１１から同様の処理が実行される。
【００６３】
一方、ステップＳ１２において、給紙ユニット５１に原本答案シート１０１がないと判定した場合、先頭答案特定部３２は、上述の印刷履歴を参照し、評価対象の原本答案シート１０１のすべてについての評価画像印刷が完了したか否かを判定する（ステップＳ１９）。
【００６４】
評価対象の原本答案シート１０１のすべてについての評価画像印刷が完了したと判定した場合、この評価画像印刷処理（ステップＳ３）が終了する。
【００６５】
一方、評価対象の原本答案シート１０１のうち、まだ評価画像印刷が完了していないものがあると判定した場合、評価対象の原本答案シート１０１のうち、給紙ユニット５１にまだセットされていない原本答案シート１０１があるので、先頭答案特定部３２は、給紙ユニット５１への評価対象の残りの原本答案シート１０１のセットをユーザーに促す警告メッセージ（答案シート追加メッセージ）を表示装置１４に表示する（ステップＳ２０）。
【００６６】
その際、その警告メッセージとともに、追加完了後にユーザーが押下すべきソフトキーが併せて表示される。そして、ユーザーは、評価対象の残りの原本答案シート１０１の一部または全部を追加した後、そのソフトキーを押下する。
【００６７】
入力装置１５でそのソフトキーの押下が検出されると（ステップＳ２１）、ステップＳ１１に戻り、ステップＳ１１から同様の処理が実行される。
【００６８】
以上のように、上記実施の形態によれば、印刷装置２は、給紙ユニット５１にセットされた複数のシートのうち、最も上のシートを給紙し、給紙したシートに対して印刷を行う印刷プロセス部５２を有する。撮像装置３は、印刷装置２に対して着脱可能であって、複数枚の原本答案シート１０１がセットされた印刷装置２の給紙ユニット５１に配置される。原本答案シート１０１は、原本答案シート１０１の識別情報を含む可視コード１１１を有する。撮像装置３は、複数枚の原本答案シート１０１のうちの最も上にセットされている原本答案シート１０１の可視コード１１１を撮像可能な位置に配置される。そして、端末装置１は、評価印刷処理において、（ａ）撮像装置３により撮像された可視コード１１１に含まれる識別情報を特定し、（ｂ）複数枚の原本答案シート１０１に対する複数の評価画像データ４２から、特定した識別情報の原本答案シートの評価画像データ４２を特定し、（ｃ）特定した評価画像データ４２に基づく評価画像の印刷要求を印刷装置２へ送信し、特定した評価画像データに基づく評価画像２０２を最も上にセットされている原本答案シート１０１に印刷させる。
【００６９】
これにより、上述の端末装置１と撮像装置３を既存の印刷装置２に組み合わせることで、評価の記入で得られる評価画像２０２を原本答案シート１０１に対して上書き印刷する場合において、評価すべき答案シート１０１が多くても、評価画像２０２の印刷時のユーザー作業が軽くて済む。
【００７０】
なお、上述の実施の形態は、本発明の好適な例であるが、本発明は、これらに限定されるものではなく、本発明の要旨を逸脱しない範囲において、種々の変形、変更が可能である。
【００７１】
例えば、上記実施の形態では、印刷プロセス部５２が、給紙ユニット５１にセットされたシートの上面を印刷面とする場合について述べているが、印刷プロセス部５２が、給紙ユニット５１にセットされたシートの下面を印刷面とする場合には、原本答案シート１０１の印刷面に対して裏面の所定の位置に可視コード１１１を印刷しておけばよい。また、給紙ユニット５１にセットされたシートの上面を印刷面とする場合と給紙ユニット５１にセットされたシートの下面を印刷面とする場合の両方に対応するために、おもて面の所定の位置および裏面の所定の位置の２箇所に可視コード１１１を印刷しておくようにしてもよい。
【００７２】
さらに、上記実施の形態において、印刷装置２の給紙ユニット５１に対して撮像装置３を図３に示すように配置できない場合には、給紙ユニット５１内の原本答案シート１０１に隣接させて配置させ、可視コード１１１を撮像させるようにしてもよい。
【００７３】
さらに、上記実施の形態において、撮像装置３の形状は図３に示すものに限定されるものではなく、筐体本体から水平方向に延びるアームを設け、そのアームの先端に撮像素子６１を配置して、撮像素子６１を可視コード１１１に正対させるようにして可視コード１１１を撮像するようにしてもよい。
【００７４】
さらに、上記実施の形態において、撮像素子６１の光軸が原本答案シート１０１に対して垂直ではない場合、撮像装置３または端末装置１が所定の光軸の傾き角に基づいてアフィン変換で撮像画像を正対画像へ変換するようにすればよい。
【００７５】
さらに、上記実施の形態において、可視コード１１１が２次元コードなどの符号化されたものである場合、可視コード１１１のデコードは、端末装置１および撮像装置３のいずれが行ってもよい。
【００７６】
さらに、上記実施の形態において、１つの答案が複数枚の答案シートで構成される場合、複数枚の答案シートにそれぞれ異なる識別情報の可視コードを割り当てればよい。
【００７７】
さらに、上記実施の形態において、答案評価支援プログラム２１は、ＣＤ−ＲＯＭなどの記録媒体から読み出されて端末装置１へインストールされたりネットワーク上のサーバーからダウンロードされて端末装置１へインストールされたりする。
【産業上の利用可能性】
【００７８】
本発明は、例えば、学校、予備校、塾、資格学校、通信教育などでの答案評価に適用可能である。
【符号の説明】
【００７９】
１  端末装置
２  印刷装置
３  撮像装置
１３  演算処理装置（コンピューターの一例）
１４  表示装置
１５  入力装置
２１  答案評価支援プログラム
４１  答案ＩＤ（原本答案シートの識別情報の一例）
４２  評価画像データ
５１  給紙ユニット
５２  印刷プロセス部
１０１  原本答案シート
１１１  可視コード
２０１  答案シート画像
２０２  評価画像
【要約】
【課題】  評価の記入で得られる評価画像を原本の答案シートに対して上書き印刷する場合において、評価すべき答案シートが多くても、評価画像の印刷時のユーザー作業が軽くて済むようにする。
【解決手段】  撮像装置３は、印刷装置２の給紙ユニット５１において最も上にセットされている原本答案シート１０１の可視コード１１１を撮像可能な位置に配置される。そして、端末装置１は、（ａ）撮像装置３により撮像された可視コード１１１に含まれる識別情報を特定し、（ｂ）複数枚の原本答案シート１０１に対する複数の評価画像データ４２から、特定した識別情報の原本答案シートの評価画像データ４２を特定し、（ｃ）特定した評価画像データ４２に基づく評価画像の印刷要求を印刷装置２へ送信し、特定した評価画像データに基づく評価画像を最も上にセットされている原本答案シート１０１に印刷させる。
【選択図】  図１【図１】
0005647367.tif 000002
【図２】
0005647367.tif 000003
【図３】
0005647367.tif 000004
【図４】
0005647367.tif 000005
【図５】
0005647367.tif 000006
【図６】
0005647367.tif 000007